(57)【特許請求の範囲】
【請求項１】
内部に加熱源を有する円筒状の定着ローラと、前記定着ローラに当接し、前記シート状加圧部材の板ばね性によって前記定着ローラを加圧するシート状加圧部材とを有し、トナー像が転写された記録紙を前記定着ローラと前記シート状加圧部材との間に形成したニップ部を通過させる際に加圧／加熱することにより記録紙にトナー像を定着させる定着装置であって、前記シート状加圧部材を移動させて、前記シート状加圧部材から前記定着ローラに加わる圧力を調整する圧力調整手段を設けた定着装置において、
前記圧力調整手段を、前記シート状加圧部材の一端部を支持する回動可能な保持部材と、前記シート状加圧部材の自由端部である他端部を上下動させる調整部とから構成し、該調整部を、前記保持部材に当接し、かつ多角柱状の回転軸が偏心して設けられたローラ体と、該ローラ体の前記回転軸を支持する凹部状の軸受部とから構成したことを特徴とする定着装置。
【請求項２】
少なくとも１本に加熱源を設けた複数のローラ体と、これらローラ体によって張設されかつ前記ローラ体の回転によって循環移動する定着ベルトと、この定着ベルトの一部に当接するシート状加圧部材とを有し、トナー像が転写された記録紙を前記定着ベルトと前記シート状加圧部材との間に形成したニップ部を通過させる際に加圧／加熱することにより記録紙にトナー像を定着させる定着装置であって、前記シート状加圧部材を移動させて、前記シート状加圧部材から前記定着ベルトに加わる圧力を調整する圧力調整手段を設けた定着装置において、
前記圧力調整手段を、前記シート状加圧部材の一端部を支持する回動可能な保持部材と、前記シート状加圧部材の自由端部である他端部を上下動させる調整部とから構成し、該調整部を、前記保持部材に当接し、かつ多角柱状の回転軸が偏心して設けられたローラ体と、該ローラ体の前記回転軸を支持する凹部状の軸受部とから構成したことを特徴とする定着装置。
【請求項３】
可撓性部材からなる円筒状の定着部材と、この定着部材を循環移動させる駆動手段と、前記定着部材の内側に当接する加熱源と、前記加熱源に前記定着部材を介して当接するシート状加圧部材とを有し、トナー像が転写された記録紙を前記加熱源と前記シート状加圧部材との間に形成したニップ部を通過させる際に加圧／加熱することにより記録紙にトナー像を定着させる定着装置であって、前記シート状加圧部材を移動させて、前記シート状加圧部材から前記加熱源に加わる圧力を調整する圧力調整手段を設けた定着装置において、
前記圧力調整手段を、前記シート状加圧部材の一端部を支持する回動可能な保持部材と、前記シート状加圧部材の自由端部である他端部を上下動させる調整部とから構成し、該調整部を、前記保持部材に当接し、かつ多角柱状の回転軸が偏心して設けられたローラ体と、該ローラ体の前記回転軸を支持する凹部状の軸受部とから構成したことを特徴とする定着装置。
【請求項４】
前記回転軸に、前記シート状加圧部材の上下位置に対応した回転位置の指標を表示したダイヤル部材を設けたことを特徴とする請求項１〜３いずれか１項記載の定着装置。
【請求項５】
前記指標を、前記シート状加圧部材の上下位置に対応した記録紙の厚さとしたことを特徴とする請求項４記載の定着装置。
【請求項６】
前記シート状加圧部材を前記ニップ部に対して記録紙搬送方向上流側で片持ち支持させるように設置したことを特徴とする請求項１〜５のいずれか１項記載の定着装置。
【請求項７】
請求項１〜６のいずれか１項記載の定着装置を有することを特徴とする画像形成装置。
【発明の詳細な説明】
【０００１】
【発明の属する技術分野】
本発明は、ファクシミリ装置，プリンタ，複写機またはそれらの機能を有する複合機等の電子写真装置に適用される定着装置および画像形成装置に関する。
【０００２】
【従来の技術】
図７は従来の定着装置の内部構造を示す側面図であり、５０は定着ローラ、５１は定着ローラ５０に圧接する加圧ローラ、５２は定着ローラ５０の内部に配置されて定着ローラ５０を加熱する定着ヒータ、５３は定着ローラ５０の温度を検出する温度検出手段、５４は定着ローラ５０に貼り付いた記録紙を定着ローラ５０から分離させる分離爪、５５は定着ローラ５０に当接して定着ローラ５０をクリーニングするクリーニングパッド、５６はクリーニングパッド５５を支持するクリーニングパッドホルダ、５７はクリーニングパッド５５に対して定着ローラ５０の回転方向下流側に設けられたクリーニングパッド侵入規制部材、５８は定着装置本体の記録紙入口に取り付けられた入口ガイド板、５９は定着装置の記録紙出口側に設けられた排紙ローラを示す。
【０００３】
トナー像が転写された記録紙が入口ガイド板５８を介して定着ローラ５０と加圧ローラ５１とのニップ部に進入する。そして、ニップ部において加圧／加熱されることにより記録紙にトナー像が定着された後排紙ローラ５９を介して外部に排出される。記録紙がニップ部を通過する際に定着ローラ５０に付着したトナーはクリーニングパッド５５によって除去される。
【０００４】
定着ローラ５０の表面温度が温度検出手段５３によって検出され、この温度検出手段５３の検出結果に基づいて定着ヒータ５２による加熱制御が図示しない制御手段によってなされる。
【０００５】
ところで、従来、定着装置においては定着ヒータとして赤外線ヒータあるいはハロゲンヒータを採用し、定着ローラおよび加圧ローラの一対のローラで構成されるものが最も一般的であった。しかしながら、加圧ローラは芯金の上にシリコンゴム層を形成し、その上にフッ素樹脂からなるチューブなどの離型層を形成する構造のために熱容量が大きくなり、加熱を開始しても加圧ローラがなかなか温まらず、定着不良の要因となっている。さらには部品コストも高いというデメリットもあった。また、定着ローラと加圧ローラとのニップ部において適度なニップ幅を確保するために、大きな加圧力を必要とし、その圧力のため記録紙にストレスが生じて定着シワの原因となっている。
【０００６】
そこで、加圧ローラの代わりにシート状の部材を定着ローラに押し当てることによりニップを形成し、そのニップ部に記録紙を通過させることにより未定着画像を記録紙に定着する定着装置などが研究されている。そのように構成することにより、シート状部材であるため温まり易く、ニップ幅を確保することが可能になり、熱効率を従来機より上げることが可能となった。
【０００７】
【発明が解決しようとする課題】
加圧ローラをシート状の部材とした場合において異なる厚さの記録紙を用いる場合には、搬送性を維持するために記録紙の厚さに応じてニップ圧を設定可能にすることが望ましいが、定着ローラおよびシート状の加圧部材の位置が固定されている場合には一定値のニップ圧しか得られない。そのため、簡単な機構でニップ圧を可変にすることが望まれる。また、ニップ部における加圧力（以下、ニップ圧と称する）を各当接部分において均一に保つようにする必要があるため、加圧力の管理が難しい。
【０００８】
本発明は、このような問題を解決し、ニップ圧を調整可能にすることを実現した定着装置および画像形成装置を提供することを目的とする。
【０００９】
【課題を解決するための手段】
前記目的を達成するための請求項１に係る発明は、内部に加熱源を有する円筒状の定着ローラと、前記定着ローラに当接し、前記シート状加圧部材の板ばね性によって前記定着ローラを加圧するシート状加圧部材とを有し、トナー像が転写された記録紙を前記定着ローラと前記シート状加圧部材との間に形成したニップ部を通過させる際に加圧／加熱することにより記録紙にトナー像を定着させる定着装置であって、前記シート状加圧部材を移動させて、前記シート状加圧部材から前記定着ローラに加わる圧力を調整する圧力調整手段を設けた定着装置において、前記圧力調整手段を、前記シート状加圧部材の一端部を支持する回動可能な保持部材と、前記シート状加圧部材の自由端部である他端部を上下動させる調整部とから構成し、該調整部を、前記保持部材に当接し、かつ多角柱状の回転軸が偏心して設けられたローラ体と、該ローラ体の前記回転軸を支持する凹部状の軸受部とから構成したことを特徴とする。
【００１０】
また、請求項２に係る発明は、少なくとも１本に加熱源を設けた複数のローラ体と、これらローラ体によって張設されかつ前記ローラ体の回転によって循環移動する定着ベルトと、この定着ベルトの一部に当接するシート状加圧部材とを有し、トナー像が転写された記録紙を前記定着ベルトと前記シート状加圧部材との間に形成したニップ部を通過させる際に加圧／加熱することにより記録紙にトナー像を定着させる定着装置であって、前記シート状加圧部材を移動させて、前記シート状加圧部材から前記定着ベルトに加わる圧力を調整する圧力調整手段を設けた定着装置において、前記圧力調整手段を、前記シート状加圧部材の一端部を支持する回動可能な保持部材と、前記シート状加圧部材の自由端部である他端部を上下動させる調整部とから構成し、該調整部を、前記保持部材に当接し、かつ多角柱状の回転軸が偏心して設けられたローラ体と、該ローラ体の前記回転軸を支持する凹部状の軸受部とから構成したことを特徴とする。
【００１１】
また、請求項３に係る発明は、可撓性部材からなる円筒状の定着部材と、この定着部材を循環移動させる駆動手段と、前記定着部材の内側に当接する加熱源と、前記加熱源に前記定着部材を介して当接するシート状加圧部材とを有し、トナー像が転写された記録紙を前記加熱源と前記シート状加圧部材との間に形成したニップ部を通過させる際に加圧／加熱することにより記録紙にトナー像を定着させる定着装置であって、前記シート状加圧部材を移動させて、前記シート状加圧部材から前記加熱源に加わる圧力を調整する圧力調整手段を設けた定着装置において、前記圧力調整手段を、前記シート状加圧部材の一端部を支持する回動可能な保持部材と、前記シート状加圧部材の自由端部である他端部を上下動させる調整部とから構成し、該調整部を、前記保持部材に当接し、かつ多角柱状の回転軸が偏心して設けられたローラ体と、該ローラ体の前記回転軸を支持する凹部状の軸受部とから構成したことを特徴とする。
【００１２】
請求項１〜３に係る発明によれば、前記のように構成したことにより、ローラ体を回転させることによってシート状加圧部材の傾斜角度を可変にすることができるため、シート状加圧部材が定着ローラ、定着ベルトまたは加熱源に加えるニップ圧を調整することができ、しかも、シート状加圧部材の傾斜角度を切り換えた際にクリック感を与えることができる。
【００１３】
請求項４に係る発明は、請求項１〜３いずれか１項に係る発明において、前記回転軸に、前記シート状加圧部材の上下位置に対応した回転位置の指標を表示したダイヤル部材を設けたことを特徴とする。このように構成したことにより、指標を見ることによってシート状加圧部材の傾斜角度を判別することができる。
【００１４】
請求項５に係る発明は、請求項４に係る発明において、前記指標を、前記シート状加圧部材の上下位置に対応した記録紙の厚さとしたことを特徴とする。このように構成したことにより、記録紙の厚さに対応したニップ圧を容易に得ることができる。
【００１５】
請求項６に係る発明は、請求項１〜５に係る発明において、前記シート状加圧部材をニップ部に対して記録紙搬送方向上流側で片持ち支持させるように設置したことを特徴とする。このように構成したことにより、定着ローラとシート状加圧部材との間を記録紙が通過する程度の弾性をシート状加圧部材に付与することができる。
【００１６】
請求項７に係る発明は、請求項１〜６のいずれか１項記載の定着装置を有することを特徴とする。このように構成したことにより、画像形成装置における記録紙の搬送性を向上させることができる。
【００１７】
【発明の実施の形態】
以下、本発明の実施形態について、図面を参照しながら詳細に説明する。
【００１８】
図１は本発明の第１参考例の定着装置を有するファクシミリ装置の内部構成を示す側面図であり、１はファクシミリ装置の本体、２は、本体１に対して着脱可能に構成され、電子写真プロセスによって画像形成を行うための各種プロセス装置を収納したプロセスカートリッジ、３はプロセスカートリッジ２に備えられている感光体、４は画像データに基づいて変調したレーザ光によって感光体３を走査させる光書込装置、５は記録紙を収納する給紙カセット、６は給紙カセット５から記録紙を給送する給紙ローラ、７は感光体３に当接して記録紙に感光体３上に形成されたトナー像を転写させる転写ローラ、８は記録紙にトナー像を定着させる定着装置、９は排紙ローラ、１０は密着センサ、１１は本体１の上面に形成された原稿載置台を示す。
【００１９】
原稿載置台１１にセットされた原稿は搬送系によって搬送され、密着センサ１０を通過して外部に排出される。密着センサ１０を原稿が通過する際に原稿の画像が密着センサ１０によって光学的に読み取られる。密着センサ１０によって読み取られた画像データあるいは外部から入力した画像データは光書込装置４に送られ、光書込装置４が画像データに基づいて変調したレーザ光を均一に帯電された感光体３の表面に照射することによって、感光体３の表面に静電潜像が形成される。この静電潜像にトナーを付着させてトナー像化し、このトナー像が転写ローラ７によって記録紙に転写される。そして、定着装置８によって加圧／加熱することによりトナー像が記録紙に定着され、排紙ローラ９によって外部に排出される。
【００２０】
図２は図１における定着装置の構成を示す説明図であって、図２（ａ）は側面図、図２（ｂ）は正面図であり、１２は定着ローラ、１３はシート状加圧部材、１４は定着ローラ１２の内部に設けられた加熱源、１５は記録紙を定着装置８にガイドするガイド板、２０はコイルばね、２１は圧力調整機構を示す。
【００２１】
定着ローラ１２の内部には加熱源１４が備えられており、加熱源１４としては、赤外線ヒータ，ハロゲンヒータ，誘導加熱方式ヒータ，面状加熱ヒータ等が用いられる。シート状加圧部材１３は板ばね性を有し、かつ熱伝導性の高い金属板、例えば、ステンレスや銅板によって構成されている。なお、シート状加圧部材１３の表面にフッ素樹脂（ＰＦＡ，ＰＴＦＥ，ＦＥＰ等）によるコーティング層を形成して、表面を滑らかにしても良い。また、シート状加圧部材１３をフッ素系樹脂やポリイミドによって構成しても良い。
【００２２】
ガイド板１５における定着ローラ１２に対向する部位は凹状に形成されており、この凹部における記録紙搬送方向上流側の縁部にシート状加圧部材１３の一端部がねじ、両面粘着テープあるいは接着剤によって固定されており、シート状加圧部材１３の他端は自由端として上下動可能になる。
【００２３】
シート状加圧部材１３は定着ローラ１２に対して所定の圧力を加えた状態で当接するように定着ローラ１２またはシート状加圧部材１３の位置が設定されている。そのため、シート状加圧部材１３の板ばね性によって、シート状加圧部材１３が定着ローラ１２に加える圧力であるニップ圧が決定される。
【００２４】
図２（ａ）および図２（ｂ）に示すように、シート状加圧部材１３の自由端部の裏面に対向する本体１の部位には、圧力調整機構２１が設けられており、シート状加圧部材１３の自由端部の裏面と圧力調整機構２１との間に複数のコイルばね２０（本参考例では長手方向両側部、中央部の３個）が設けられている。
【００２５】
そして、転写ローラから搬送された記録紙は、ガイド板１５によってガイドされて、定着ローラ１２とシート状加圧部材１３との当接部、すなわちニップ部を通過する。この時、記録紙が加圧／加熱されることにより、記録紙上のトナー像が溶融して記録紙上に定着され、ガイド板１５および排紙ローラを介して外部に排出される。
【００２６】
図３は図２の圧力調整機構の概略構成を示す説明図であり、２２はコイルばね２０の一端を取り付ける取付板、２３は側面にねじ山が形成された台座、２４は、コイルばね２０の一端の取付位置に形成されたねじ孔、２５は取付板２２を上下動させるソレノイドを示す。
【００２７】
ねじ孔２４には台座２３が螺合しており、台座２３上にコイルばね２０の一端が載置される。そして、台座２３をドライバ等の器具を用いて回転させることによって台座２３を上下移動させ、コイルばね２０の一端の位置を変化させることにより、個々のコイルばね２０の他端からシート状加圧部材１３に加える圧力を調整することが可能になる。
【００２８】
さらに、ソレノイド２５を駆動させて取付板２２を上下動させることにより、各コイルばねの他端位置が一斉に切り替わり、コイルばね２０によってシート状加圧部材１３に加えられる圧力量が変化することにより、ニップ圧を変更することができる。なお、ソレノイド２５の駆動制御は図示しないＣＰＵによって行われる。
【００２９】
取付板２２の上下動はソレノイド２５による移動量によって設定されるため、例えば、普通紙用としてのニップ圧と、このニップ圧より若干高くした厚紙用としてのニップ圧を設定することができる。なお、取付板２２の位置が多段階に切り換え可能であれば、より詳細なニップ圧の調整が可能である。
【００３０】
なお、ソレノイド２５による移動量を大きく設定することにより、定着ローラ１２からシート状加圧部材１３を当接／離間させることが可能になる。例えば、通常状態においてはシート状加圧部材１３を定着ローラ１２に当接させておき、画像形成動作終了後において定着ローラ１２が所定温度まで冷却されるまでの所定時間、あるいはジャム発生時においてソレノイド２５を駆動させてシート状加圧部材１３を離間させるような駆動制御を行うことが可能になる。
【００３１】
このように構成した第１参考例によれば、個々のコイルばね２０による圧力調整が可能になるため、シート状加圧部材１３から加えられる圧力の左右のバランスを調整することが可能になる。また、シート状加圧部材１３を当接／離間させることが可能になるため、ジャム紙の処理が容易に可能になる。また、シート状加圧部材１３の自由端を付勢することにより、定着ローラ１２とシート状加圧部材１３とのニップ幅を確保することが可能になるとともに、ソレノイド２５の駆動制御によりコイルばね２０の一端の上下位置を一斉に変更することによってニップ圧を可変にすることができる。
【００３２】
なお、第１参考例によれば、３個のコイルばね２０を使用したが、コイルばね２０の数，種類および配置については適宜設定すると良い。
【００３３】
図４は本発明の第２参考例の定着装置の要部構成を示す側面図であり、３０はシート状加圧部材１３を支持する保持部材、３１は保持部材３０における記録紙搬送方向上流側端部の両側部からＬ字状に延出した第１延出部、３２は保持部材３０における記録紙搬送方向下流側端部の両側部からＬ字状に延出した第２延出部、３３は本体１における定着ローラ１２に対して記録紙搬送方向上流側の部位に立設した第１支持部、３４は本体１における定着ローラ１２と第１支持部３３との間の部位に立設した第２支持部、３５は第１延出部３１を第１支持部３３に回動可能に取り付ける回動軸、３６は第２延出部３２に形成した長孔、３７は第２延出部３２を第２支持部３４に長孔３６を介して固定するねじを示す。なお、図１，図２に示す第１参考例における部材と同一または同一機能の部材については同一の符号を付して詳細な説明は省略した。
【００３４】
シート状加圧部材１３の一端部は保持部材３０に両面粘着テープによって貼り付けられており、他端部を記録紙搬送方向に向けて保持部材３０が第１支持部３３に固定されている。
【００３５】
ニップ圧調整の際には、保持部材３０を回動させてシート状加圧部材１３の傾斜角度を調整する。そして、所望の角度に調整した後、ねじ３７によって第２延出部３２を第２支持部３４に固定することにより、定着ローラ１２を装着した際の定着ローラ１２に対するシート状加圧部材１３の押し付け量が決定される。
【００３６】
このように構成したことにより、定着ローラ１２に対するシート状加圧部材１３の押し付け量、すなわちニップ圧を調整することが可能になる。
【００３７】
図５は本発明の実施形態の定着装置の要部構成を示す説明図であり、図５（ａ）は側面図、図５（ｂ）はローラ付近の構成を示す正面図、図５（ｃ）はダイヤルの表示面を示す説明である。３８は回転軸が偏心位置にあるローラ、３９はローラ３８を回転させるダイヤル、４０は、本体１に設けられ、ローラ３８の回転軸を支持する軸受けを示す。なお、図４に示す第２参考例における部材と同一または同一機能の部材については同一の符号を付して詳細な説明は省略した。
【００３８】
本実施形態の定着装置は、第２参考例の定着装置における第２延出部３２を省略し、第２支持部３４の代わりに軸受け４０を設け、この軸受け４０にローラ３８の回転軸を支持させ、ローラ３８に保持部材３０の裏面を当接させたものである。
【００３９】
ローラ３８の両端部に設けられた回転軸は多角柱（本実施形態においては四角柱）状に形成されており、この回転軸が、Ｖ字型に形成された軸受け４０の受け部４０ａ上に載置され、さらに、回転軸にはダイヤル３９が取り付けられている。
【００４０】
四角柱状の回転軸の４つの角部は、ローラ３８の面における回転軸に対して最近の位置Ａと最遠の位置Ｂと中間位置Ｃに配置されている。すなわち、位置Ａに対応する角部が受け部４０ａに係合した場合には保持部材３０が最も高い位置に押し上げられ、位置Ｂに対応する角部が受け部４０ａに係合した場合には保持部材３０が最も低い位置に押し上げられ、位置Ｃに対応する角部が受け部４０ａに係合した場合には保持部材３０が中間の位置に押し上げられるために、３段階の位置調整が可能になる。したがって、シート状加圧部材１３の押し付け量が３段階に切り替え可能になる。
【００４１】
さらに、ダイヤル３９には、図５（ｃ）に示すように、３段階の押し付け量に対応した紙種が表示されており、具体的には、厚紙，普通紙，薄紙，普通紙の順で表示されている。例えば、紙種を普通紙から厚紙に代える場合には使用者がダイヤル３９を回転させて厚紙を選択する。この時、位置Ｃに対応する角部が受け部４０ａに係合した状態から回転軸が回転して、位置Ａに対応する角部が受け部４０ａに係合するため、クリック感を持って止まるようになる。その結果、シート状加圧部材１３は最も高く位置付けられ、シート状加圧部材１３が定着ローラ１２にかける圧力が大きくなる。
【００４２】
このように構成したことにより、シート状加圧部材１３が定着ローラ１２にかける圧力を使用者のダイヤル操作によって容易に変えることが可能になる。しかも、ダイヤル操作が正常に行われた場合にはクリック感を伴うために、確実に圧力を変えることが可能になる。
【００４３】
図６は本発明の第３参考例の定着装置の要部構成を示す側面図であり、４１は、定着ローラ１２を軸受部４１ａにより保持する保持手段であり、軸４１ｂを支軸として回動可能なハウジング、４２は定着ローラ１２を回転駆動する駆動手段（図示せず）からの駆動力を伝達する伝達ギヤ、４３は、ハウジング４１と筐体間に設けられ、定着ローラ１２をシート状加圧部材１３に付勢する加圧手段、４４はシート状加圧部材１３を支持するシート支持材、４５は支持部材に取り付けられるシート状加圧部材１３のストッパ部材を示す。なお、図４に示す第２参考例における部材と同一または同一機能の部材については同一の符号を付して詳細な説明は省略した。
【００４４】
また、４６は、定着ローラ１２をシート状加圧部材１３間にニップ部を形成する当接位置と、定着ローラ１２をシート状加圧部材１３間を離間した離間位置に移動させる移動手段である。この移動手段４６の一方の端部はハウジング４１に設けられた係合爪４１ｃと係合し、他方の端部は前記の当接位置と離間位置とに移動させる駆動部（図示せず）が設けられている。さらに、ハウジング４１を加圧手段４３によって付勢される方向に、前記のニップ部における片側圧力が０．５〜１０（９．８Ｎ）となる位置で係止する係止手段（図示せず）を有している。
【００４５】
このように構成したことにより、定着ローラ１２を移動させてシート状加圧部材１３の撓み量を変化させることによってニップ圧を調整することが可能になる。
【００４６】
以上、本発明の実施形態について説明してきたが、本発明は上述した構成に限るものではない。本実施形態においては、定着ローラにシート状加圧部材を当接させたが、例えば、少なくとも１本に加熱源を設けた複数のローラ体と、これらローラ体によって張設されかつ前記ローラ体の回転によって循環移動する定着ベルトとを有し、この定着ベルトの一部にシート状加圧部材の一端部を当接させ、他端部を定着ベルトの循環方向上流側に固定し、トナー像が転写された記録紙を定着ベルトとシート状加圧部材との間を通過させる際に加圧／加熱することにより記録紙にトナー像を定着させる定着装置に適用し、シート状加圧部材を移動させて、シート状加圧部材から定着ベルトに加わる圧力を調整するように構成しても良い。
【００４７】
あるいは、可撓性部材からなる円筒状の定着部材と、この定着部材を循環移動させる駆動手段と、定着部材の内側に当接する加熱源と、この加熱源に定着部材を介して当接するシート状加圧部材とを有し、シート状加圧部材の一端部を前記加熱源に対して記録紙搬送方向上流側に固定し、シート状加圧部材の他端部を定着部材を介して加熱源に加圧状態で当接させ、トナー像が転写された記録紙を加熱源と前記シート状加圧部材との間を通過させる際に加圧／加熱することにより記録紙にトナー像を定着させる定着装置に適用し、シート状加圧部材を移動させて、シート状加圧部材から加熱源に加わる圧力を調整するように構成しても良い。
【００４８】
【発明の効果】
以上、説明したように構成された本発明によれば、ローラ体を回転させることによってシート状加圧部材の傾斜角度を可変にすることができるため、定着ローラ、定着ベルトまたは加熱源とシート状加圧部材とのニップ部にかかる圧力を調整することができることにより、記録紙の搬送性を維持することができる。
【００４９】
また、ニップ圧を可変にすることができるために、記録紙の厚さに応じてニップ圧を選択することができ、その結果、記録紙の厚さに起因する搬送不良の発生を低減することが可能になる。
【００５０】
しかも、シート状加圧部材の傾斜角度を切り換えた際にクリック感を与えることができる。
【図面の簡単な説明】
【図１】本発明の第１参考例の定着装置を有するファクシミリ装置の内部構成を示す側面図
【図２】本発明の第１参考例の定着装置の構成を示す説明図
【図３】図２の圧力調整機構の概略構成を示す説明図
【図４】本発明の第２参考例の定着装置の構成を示す側面図
【図５】本発明の実施形態の定着装置の構成を示す説明図
【図６】本発明の第３参考例の定着装置の構成を示す側面図
【図７】従来の定着装置の内部構造を示す側面図
【符号の説明】
１  本体
２  プロセスカートリッジ
３  感光体
４  光書込装置
５  給紙カセット
６  給紙ローラ
７  転写ローラ
８  定着装置
９  排紙ローラ
１０  密着センサ
１１  原稿載置台
１２  定着ローラ
１３  シート状加圧部材
１４  加熱源
１５  ガイド板
２０  コイルばね
２１  圧力調整機構
２２  取付板
２３  台座
２４  ねじ孔
２５  ソレノイド
３０  保持部材
３１  第１延出部
３２  第２延出部
３３  第１支持部
３４  第２支持部
３５  回動軸
３６  長孔
３７  ねじ
３８  ローラ
３９  ダイヤル
４０  軸受部
４０ａ  受け部
４１  ハウジング
４２  伝達ギヤ
４３  加圧手段
４４  シート支持材
４５  ストッパ部材
４６  移動手段
【図１】
0004282916.tif 000002
【図２】
0004282916.tif 000003
【図３】
0004282916.tif 000004
【図４】
0004282916.tif 000005
【図５】
0004282916.tif 000006
【図６】
0004282916.tif 000007
【図７】
0004282916.tif 000008